(57)【要約】【課題】  装着することにより、足指間及び足指の付け根付近を刺激し、さらに足指を鍛え、歩行を改善し、さらに通気性を良くすることによって水虫を予防し、健康を促進する足の健康具を提供する。【解決手段】  アキレス腱の少なくとも一部を覆うバンドとそれと一体となった足指間及び足指の付け根の足裏側を通る単数又は複数のバンドからなる少なくとも一部に伸縮性を有する足の健康具。【選択図】図１
2008142493.tif 000002
【特許請求の範囲】
【請求項１】
アキレス腱の少なくとも一部を覆い、足裏にかからないバンドとそれと一体となった足指間及び足指の付け根の足裏側を通る単数又は複数のバンドからなる少なくとも一部に伸縮性を有する足の健康具。
【請求項２】
アキレス腱の少なくとも一部を覆い、アキレス腱とそのアキレス腱と隣接する脚の骨の間に当たる部分付近が少なくとも一箇所厚くなっているバンドと、それと一体となった足指間及び足指の付け根の足裏側を通る単数又は複数のバンドからなる少なくとも一部に伸縮性を有する足の健康具。
【請求項３】
面ファスナー等を含むことによって足指間及び足指の付け根の足裏側を通る単数又は複数の少なくとも一部に伸縮性を有するバンドを一箇所又は数箇所ではさむことができるアキレス腱の少なくとも一部を覆うバンドからなる足の健康具。
【請求項４】
面ファスナー等を含むことによって足指間及び足指の付け根の足裏側を通る単数又は複数の少なくとも一部に伸縮性を有するバンドを一箇所又は数箇所ではさむことができ、アキレス腱の少なくとも一部を覆い、アキレス腱とそのアキレス腱と隣接する脚の骨の間付近にあたる部分が少なくとも一箇所厚くなっているバンドからなる足の健康具。
【請求項５】
面ファスナー等を含むことによって足指間及び足指の付け根の足裏側を通る単数又は複数の少なくとも一部に伸縮性を有するバンドを一箇所又は数箇所ではさんだアキレス腱の少なくとも一部を覆うバンドからなる足の健康具。
【請求項６】
面ファスナー等を含むことによって足指間及び足指の付け根の足裏側を通る単数又は複数の少なくとも一部に伸縮性を有するバンドを一箇所又は数箇所ではさんだ、アキレス腱の少なくとも一部を覆い、アキレス腱とそのアキレス腱と隣接する脚の骨の間付近にあたる部分が少なくとも一箇所厚くなっているバンドからなる足の健康具。
【発明の詳細な説明】
【技術分野】
【０００１】  本発明は、装着することにより、足指間及び足指の付け根付近を刺激し、さらに足指を鍛え、歩行を改善し、さらに通気性を良くすることによって水虫を予防し、健康を促進する足の健康具に関するものである。
【背景技術】
【０００２】  従来、足指間や足指の付け根付近を刺激するには指圧による方法や５本指ソックスを履く方法、足指の付け根にリングを付ける方法があった。
一方、たとえば、特許公開２００４−００８６２７のようにプレートに柱が付いており、その柱を足指間に挟むことによって刺激するものがある。
一方、たとえば、特許公開平１０−０５２４７２のように足指間にバンドを通し、アキレス腱にかけたものがある。
一方、たとえば、登録実用新案第３１１９２９９のように５本指ソックスの１一部をカットした形状のものがある。
また、足指を鍛えるには、主に歩くことなどの原始的な方法であった。
また、水虫の予防には上記の他、例えば、特許公開平９−１１７４６７のように帯状材を足指間及び足指の付け根の足裏側に通し足の甲にテープ等で留めるものがある。
【特許文献１】  特開２００６−２００１００号公報
【特許文献２】  特開２００４−００８６２７号公報
【特許文献３】  特開２００２−１２６０３５号公報
【特許文献４】  特開２００１−１０４３６８号公報
【特許文献５】  特開平１０−１４６３５７号公報
【特許文献６】  特開平１０−０５２４７２号公報
【特許文献７】  特開平９−１１７４６７号公報
【特許文献８】  特開平９−９９００４号公報
【特許文献９】  特開平５−１６１６７０号公報
【特許文献１０】  実用新案公開平７−３３９１３号公報
【特許文献１１】  登録実用新案３１２６８０８号公報
【特許文献１２】  登録実用新案３１２１７５２号公報
【特許文献１３】  登録実用新案３１１９２９９号公報
【特許文献１４】  登録実用新案３１１７０７４号公報
【特許文献１５】  登録実用新案３１１５５７３号公報
【特許文献１６】  登録実用新案３０６６２２５号公報
【特許文献１７】  登録実用新案３０４４２６７号公報
【発明の開示】
【発明が解決しようとする課題】
【０００３】  そのために、次のような問題点があった。
（イ）足指間や足の付け根付近を指で刺激する場合は作業が面倒であった。
（ロ）足の付け根にリングを付ける場合は、リングが小さいため、洗濯したときなどに紛    失する可能性が高かった。
（ハ）５本指ソックス等は履きにくく、外見上、指が５本に分かれているものは外見が気    になることが多かった。
（ニ）特許公開２００４−００８６２７のようにプレートに柱が付いているものは、装着      や歩行時に違和感を生じることがあり、また柱が固定されているので個々の足指に    合わないことも考えられた。
（ホ）登録実用新案第３１１９２９９号のように５本指ソックスの一部をカットしたよう    なもの等は足裏及び足指の足裏側に段差が生じ歩行時に障害となることがあった。
また、上に靴下を履くと蒸れ易いものがあった。
（ヘ）特許公開平９−１１７４６７のように帯状材を足指間及び足指の付け根の足裏側に    通し足の甲にテープで止めるものはテープを使用するため使用の度にテープや全体を    取り替える等の手間を要していた。
（ト）歩いて足指を鍛えるのは人によって困難な場合があり、また効率も悪かった。
【課題を解決するための手段】
【０００４】  アキレス腱の少なくとも一部を覆い、足裏にかからないバンドとそれと一体となった足指間及び足指の付け根の足裏側を通る単数又は複数のバンドからなる少なくとも一部に伸縮性を有する足の健康具。
また、本発明の他の形態は、アキレス腱の少なくとも一部を覆い、アキレス腱とそのアキレス腱と隣接する脚の骨の間にあたる部分付近が少なくとも一箇所厚くなっているバンドとそれと一体となった足指間及び足指の付け根の足裏側を通る単数又は複数のバンドからなる少なくとも一部に伸縮性を有する足の健康具。
また、本発明の他の形態は、面ファスナー等を含むことによって足指間及び足指の付け根の足裏側を通る単数又は複数の少なくとも一部に伸縮性を有するバンドを一箇所又は数箇所ではさむことができるアキレス腱の少なくとも一部を覆うバンドからなる足の健康具。
また、本発明の他の形態は、面ファスナー等を含むことによって足指間及び足指の付け根の足裏側を通る単数又は複数の少なくとも一部に伸縮性を有するバンドを一箇所又は数箇所ではさむことができ、アキレス腱の少なくとも一部を覆い、アキレス腱とそのアキレス腱と隣接する脚の骨の間付近にあたる部分が少なくとも一箇所厚くなっているバンドからなる足の健康具。
また、本発明の他の形態は、面ファスナー等を含むことによって足指間及び足指の付け根の足裏側を通る単数又は複数の少なくとも一部に伸縮性を有するバンドを一箇所又は数箇所ではさんだアキレス腱の少なくとも一部を覆うバンドからなる足の健康具。
また、本発明の他の形態は、面ファスナー等を含むことによって足指間及び足指の付け根の足裏側を通る単数又は複数の少なくとも一部に伸縮性を有するバンドを一箇所又は数箇所ではさんだ、アキレス腱の少なくとも一部を覆い、アキレス腱とそのアキレス腱と隣接する脚の骨の間付近にあたる部分が少なくとも一箇所厚くなっているバンドからなる足の健康具。
【発明の効果】
【０００５】  本発明によって、歩行の障害となることなく、多くのツボが存在する足指間や足指の付け根の足裏側を効率的に刺激することができ、足指間及び足指の付け根の足裏側を通る単数又は複数の少なくとも一部に伸縮性を有するバンドによる伸張反射によって足指を鍛えることによってリンパの流れや血行を良くし、歩行改善も計られ、また、水虫の予防も計られる。
また、アキレス腱の少なくとも一部を覆うバンドのアキレス腱とそのアキレス腱と隣接する脚の骨の間付近にあたる部分が少なくとも一部が厚くなっているものは、本発明を装着することによるアキレス腱の負担が軽減でき、さらにくるぶし付近にあるツボを刺激することができる。
また、装着が楽で違和感もなく、それなりの大きさもあるため紛失しにくく、また、上から靴下を履いても蒸れにくく、見かけもあまり気にならない。
【発明を実施するための最良の形態】
【０００６】  以下において、実施例を述べるにあたり、アキレス腱（４）の少なくとも一部を覆うバンドをバンドＩ（１）、足指間及び足指の付け根の足裏側を通る少なくとも一部に伸縮性を有するバンドをバンドＩＩ（２）とする。
【実施例１】
【０００７】  本発明の形態の一つに、図１のように輪になったバンドＩ（１）と５本のバンドＩＩ（２）が一体となり、バンドＩ（１）のアキレス腱（４）とそのアキレス腱（４）と隣接する脚の骨の間付近に当たる２つの部分の内側に出っ張り（３）を設けたものがある。
これを使用するときはバンドＩ（１）を２つの出っ張り（３）がそれぞれ外踝とアキレス腱（４）のちょうど真中にある崑崙、内踝の後方にある太けいに当たるように足首に装着し５本のバンドＩＩ（２）をそれぞれの足指に図４、図５のようにかけて使用する。
【実施例２】
【０００８】  本発明の他の形態には、図６のように輪になったバンドＩ（１）がある。
そのバンドＩ（１）のアキレス腱（４）とそのアキレス腱（４）と隣接する脚の骨の間付近に当たる２つの部分の外側に、面ファスナー（６）の一方を有するバンドＩＩＩ（５）が取り付けられ内側に対応する面ファスナー（６）を付けたものがある。
これを使用するときは図７のように輪になった５本のバンドＩＩ（２）をバンドＩ（１）の外側と２つのバンドＩＩＩ（５）の間に挟んで面ファスナー（６）を閉じる。
バンドＩ（１）を２つバンドＩＩＩ（５）がそれぞれ外踝とアキレス腱（４）のちょうど真中にある崑崙、内踝の後方にある太けいに当たるように足首に装着し５本のバンドＩＩ（２）をそれぞれの足指に図４、図５のようにかけて使用する。
また、バンドＩ（１）と５本のバンドＩＩ（２）の内の一部が破損しそうな場合は面ファスナー（６）を開くことにより、そのバンドだけを取り替えることができる。
【実施例３】
【０００９】  本発明の他の形態には、図６のように輪になったバンドＩ（１）がある。
そのバンドＩ（１）のアキレス腱（４）とそのアキレス腱（４）と隣接する脚の骨の間付近に当たる２つの部分の外側に、面ファスナー（６）の一方を有するバンドＩＩＩ（５）が取り付けられ内側に対応する面ファスナー（６）を付ける。
図７のように輪になった５本のバンドＩＩ（２）をバンドＩ（１）の外側と２つのバンドＩＩＩ（５）の間に挟んで面ファスナー（６）を閉じたものがある。
これを使用するにはバンドＩ（１）を２つバンドＩＩＩ（５）がそれぞれ外踝とアキレス腱（４）のちょうど真中にある崑崙、内踝の後方にある太けいに当たるように足首に装着し５本のバンドＩＩ（２）をそれぞれの足指に図４、図５のようにかけて使用する。
また、バンドＩ（１）と５本のバンドＩＩ（２）の内の一部が破損しそうな場合は、面ファスナー（５）を開くことにより、そのバンドだけを取り替えることができる。
【実施例４】
【００１０】  本発明の他の形態には、図１０のように輪になっていないバンドＩ（１）と５本のバンドＩＩ（２）が一体となり、バンドＩ（１）のアキレス腱（４）とそのアキレス腱（４）と隣接する脚の骨の間付近に当たる２つの部分の内側に出っ張り（３）を設けたものがある。
これを使用するときはバンドＩ（１）を２つの出っ張り（３）がそれぞれ崑崙の下方にある僕参、内踝から踵の先に向けた斜め下にある水泉に当たるようにアキレス腱（４）付近に装着し５本のバンドＩＩ（２）をそれぞれの足指に図４、図５のようにかけて使用する。
【実施例５】
【００１１】  本発明の他の形態には、図１２のように輪になっていないバンドＩ（１）がある。
そのバンドＩ（１）のアキレス腱（４）とそのアキレス腱（４）と隣接する脚の骨の間付近に当たる２つの部分の外側に、面ファスナー（６）の一方を有するバンドＩＩＩ（５）が取り付けられ内側に対応する面ファスナー（６）を付けたものがある。
これを使用するときは、図７のように輪になった５本のバンドＩＩ（２）をバンドＩ（１）の外側と２つのバンドＩＩＩ（５）の間に挟んで面ファスナー（６）を閉じる。
バンドＩ（１）を２つバンドＩＩＩ（５）がそれぞれ崑崙の下方にある僕参、内踝から踵の先に向けた斜め下にある水泉に当たるようにアキレス腱（４）付近に装着し５本のバンドＩＩ（２）をそれぞれの足指に図４、図５のようにかけて使用する。
また、バンドＩ（１）と５本のバンドＩＩ（２）の内の一部が破損しそうな場合は、面ファスナー（６）を開くことにより、そのバンドだけを取り替えることができる。
【実施例６】
【００１２】  本発明の他の形態には、図１２のように輪になっていないバンドＩ（１）がある。
そのバンドＩ（１）のアキレス腱（４）とそのアキレス腱（４）と隣接する脚の骨の間付近に当たる２つの部分の外側に、面ファスナー（６）の一方を有するバンドＩＩＩ（５）が取り付けられ内側に対応する面ファスナー（６）を付け図７のように輪になった５本のバンドＩＩ（２）をバンドＩ（１）の外側と２つのバンドＩＩＩ（５）の間に挟んで面ファスナー（６）を閉じたものがある。
これを使用するには、バンドＩ（１）を２つバンドＩＩＩ（５）がそれぞれ崑崙の下方にある僕参、内踝から踵の先に向けた斜め下にある水泉に当たるようにアキレス腱（４）付近に装着する。
５本のバンドＩＩ（２）をそれぞれの足指に図４、図５のようにかけて使用する。
また、バンドＩ（１）と５本のバンドＩＩ（２）の内の一部が破損しそうな場合は、面ファスナー（５）を開くことにより、そのバンドだけを取り替えることができる。
【図面の簡単な説明】
【００１３】
【図１】  本発明の実施例１を示した斜視図である。
【図２】  本発明の実施例１の装着した状態を示した側面図である。
【図３】  本発明を装着した状態を示した断面図である。（バンドＩＩと面ファスナーは省略）  （ａ）は実施例１  （ｂ）は実施例４  （ｃ）は実施例２、３  （ｄ）は実施例５、６
【図４】  本発明を装着したときの足の甲側から見た説明図である。
【図５】  本発明を装着したときの足の裏側から見た説明図である。
【図６】  本発明の実施例２、３を示したバンドＩ及びそれと一体となったものの斜視図である。
【図７】  本発明の実施例２、３、５、６を示したバンドＩＩの斜視図である。
【図８】  本発明の実施例２、３を示したバンドＩＩを付けた斜視図である。
【図９】  本発明の実施例２、３の装着した状態を示した説明図である。
【図１０】  本発明の実施例４を示した斜視図である。
【図１１】  本発明の実施例４の装着した状態を示した説明図である。
【図１２】  本発明の実施例５、６のバンドＩ及びそれといったいとなったものの斜視図である。
【図１３】  本発明の実施例５、６にバンドＩＩを付けた斜視図である。
【図１４】  本発明の実施例５、６の装着した状態を示した説明図である。
【符号の説明】
【００１４】      １  バンドＩ
２  バンドＩＩ
３  出っ張り
４  アキレス腱
５  バンドＩＩＩ
６  面ファスナー
【図１】
2008142493.tif 000003
【図２】
2008142493.tif 000004
【図３】
2008142493.tif 000005
【図４】
2008142493.tif 000006
【図５】
2008142493.tif 000007
【図６】
2008142493.tif 000008
【図７】
2008142493.tif 000009
【図８】
2008142493.tif 000010
【図９】
2008142493.tif 000011
【図１０】
2008142493.tif 000012
【図１１】
2008142493.tif 000013
【図１２】
2008142493.tif 000014
【図１３】
2008142493.tif 000015
【図１４】
2008142493.tif 000016